(57)【要約】【課題】  磁気テープを、つねに、テープリールの一方のフランジに沿って、テープリールのハブに、所望のように、巻き取ることができる磁気テープカートリッジの製造方法を提供することを目的とする。【解決手段】  磁気テープ３を、テープリール１の一方のフランジ４ｂに沿って、回転しているテープリールのハブ２に巻き取って、磁気テープカートリッジを製造する方法において、磁気テープが略一定速度で定常的に搬送されている間は、磁気テープ位置規制部材５によって、磁気テープのテープリールの軸線方向の走行位置を規制しつつ、磁気テープを、テープリールのハブのほぼ中央部に向けて、供給し、磁気テープの搬送速度が減速されたときは、磁気テープの搬送速度が減速されてから、所定時間ΔＴの経過後に、磁気テープ位置規制部材駆動手段６によって、磁気テープ位置規制部材を、テープリールの軸線方向に沿って、テープリールの一方のフランジに向けて移動させることを特徴とする磁気テープカートリッジの製造方法。【選択図】      図２
2007122763.tif 000002
【特許請求の範囲】
【請求項１】
磁気テープを、テープリールの一方のフランジに沿って、回転している前記テープリールのハブに巻き取って、磁気テープカートリッジを製造する方法において、前記磁気テープが略一定速度で定常的に搬送されている間は、磁気テープ位置規制部材によって、磁気テープの前記テープリールの軸線方向の走行位置を規制しつつ、磁気テープを、前記テープリールのハブのほぼ中央部に向けて、供給し、前記磁気テープの搬送速度が減速されたときは、前記磁気テープの搬送速度が減速されてから、所定時間ΔＴの経過後に、前記磁気テープ位置規制部材を、前記テープリールの軸線方向に沿って、前記テープリールの一方のフランジに向けて移動させることを特徴とする磁気テープカートリッジの製造方法。
【請求項２】
所定時間ΔＴが、前記磁気テープが定常的に搬送されているときの搬送速度に応じて、設定されていることを特徴とする請求項１に記載の磁気テープカートリッジの製造方法。
【請求項３】
前記テープリールの前記一方のフランジが、前記テープリールの軸線に垂直な平面に対して、外方に傾くように形成されていることを特徴とする請求項１または２に記載の磁気テープカートリッジの製造方法。
【請求項４】
所定時間ΔＴの経過後に、磁気テープが、前記テープリールの一方のフランジの内壁面に向けて、供給されるように、前記磁気テープ位置規制部材を、前記テープリールの一方のフランジ側に移動させることを特徴とする請求項３に記載の磁気テープカートリッジの製造方法。
【発明の詳細な説明】
【技術分野】
【０００１】
本発明は、磁気テープカートリッジの製造方法に関するものであり、さらに詳細には、磁気テープを、つねに、テープリールの一方のフランジに沿って、テープリールのハブに、所望のように、巻き取ることができる磁気テープカートリッジの製造方法に関するものである。
【背景技術】
【０００２】
コンピュータなどのデータバックアップ用の記録媒体として、カートリッジに収納された磁気テープが広く用いられている。
【０００３】
磁気テープ用のカートリッジとしては、単一のテープリールを備えたワンリールタイプの磁気テープカートリッジと、一対のテープリールを備えたツーリールタイプの磁気テープカートリッジとが知られている。
【０００４】
磁気テープカートリッジを組立てるにあたっては、一般に、磁気テープのテープリールの軸線方向の走行位置を規制しつつ、磁気テープが高速で回転しているテープリールのハブのほぼ中央部に向けて供給され、磁石などによって構成された規制機構によって、磁気テープが、テープリールの一方のフランジに沿わされて、テープリールのハブに巻き取られる。
【発明の開示】
【発明が解決しようとする課題】
【０００５】
しかしながら、磁気テープの巻き取り操作を終了させるにあたって、磁気テープの搬送速度を減速させると、磁気テープのテープリールの軸線方向の位置を規制しつつ、磁気テープを、高速で回転しているテープリールのハブのほぼ中央部に向けて、供給し、磁石などによって構成された規制機構によって規制しても、テープリールの一方のフランジに沿って、テープリールのハブに巻き取ることが困難になるという問題があった。
【０００６】
磁気テープの搬送速度を減速させた場合のかかる問題は、テープリールの一方のフランジを、テープリールの軸線に垂直な平面に対して、外方に傾くように形成し、このフランジに向けて、磁気テープを供給することによって解決することができるが、その場合には、テープリールが高速で回転しているときに、磁気テープの一方のエッジ部が、そのフランジに衝突し、損傷されるという問題があった。
【０００７】
したがって、本発明は、磁気テープを、つねに、テープリールの一方のフランジに沿って、テープリールのハブに、所望のように、巻き取ることができる磁気テープカートリッジの製造方法を提供することを目的とするものである。
【課題を解決するための手段】
【０００８】
本発明者は、本発明のかかる目的を達成するため、鋭意研究を重ねた結果、磁気テープの巻き取り操作を終了させるにあたって、磁気テープの搬送速度を減速させると、磁気テープを、磁気テープのテープリールの軸線方向の走行位置を規制しつつ、高速で回転しているテープリールのハブのほぼ中央部に向けて、供給し、磁石などによって構成された規制機構によってガイドしても、テープリールの一方のフランジに沿って、テープリールのハブに巻き取ることが困難になるのは、テープリールを高速で回転させている間は、テープリールの回転にともなって、磁気テープにエアが同伴され、ハブに巻き取るべき磁気テープとすでにハブに巻き取られた下側の磁気テープの表面との間に、所定量のエアが介在するため、磁気テープがテープリールの軸線方向に動きやすく、その結果、磁気テープのテープリールの軸線方向の走行位置を規制しつつ、磁気テープを、回転しているテープリールのハブのほぼ中央部に向けて、供給し、磁石などによって構成された規制機構によって、磁気テープをガイドすることによって、磁気テープを、テープリールの一方のフランジに沿って、所望のように、テープリールのハブに巻き取ることができるが、磁気テープの搬送速度を減速させると、磁気テープに同伴されるエアの量が減少し、ハブに巻き取るべき磁気テープとハブの表面あるいはすでにハブに巻き取られた下側の磁気テープの表面との間に介在するエアの量も減少する結果、ハブに巻き取るべき磁気テープが、すでにハブに巻き取られた下側の磁気テープの表面に接触しやすくなって、テープリールの軸線方向における磁気テープの動きが規制されるためであることを見出した。
【０００９】
本発明は、かかる知見に基づくものであり、本発明の前記目的は、磁気テープを、テープリールの一方のフランジに沿って、回転している前記テープリールのハブに巻き取って、磁気テープカートリッジを製造する方法において、前記磁気テープが略一定速度で定常的に搬送されている間は、磁気テープ位置規制部材によって、磁気テープの前記テープリールの軸線方向の走行位置を規制しつつ、磁気テープを、前記テープリールのハブのほぼ中央部に向けて、供給し、前記磁気テープの搬送速度が減速されたときは、前記磁気テープの搬送速度が減速されてから、所定時間ΔＴの経過後に、前記磁気テープ位置規制部材を、前記テープリールの軸線方向に沿って、前記テープリールの一方のフランジに向けて移動させることを特徴とする磁気テープカートリッジの製造方法によって達成される。
【００１０】
本発明によれば、磁気テープが略一定速度で搬送され、テープリールに向けて供給される磁気テープとすでにハブに巻き取られた下側の磁気テープとの間に、所定量のエアが介在している間は、磁気テープ位置規制部材によって、磁気テープのテープリールの軸線方向の走行位置を規制しつつ、磁気テープをテープリールのハブのほぼ中央部に向けて、供給するように構成されているから、磁石などによって構成された規制機構により、磁気テープを、所望のように、テープリールの一方のフランジに沿って、テープリールのハブに巻き取ることができ、一方、磁気テープの巻き取り操作を終了させるにあたって、磁気テープの搬送速度が減速されたときは、磁気テープの搬送速度が減速されてから、所定時間ΔＴの経過後に、磁気テープ位置規制部材を、テープリールの軸線方向に、それに沿って、磁気テープを巻き取るべきテープリールの一方のフランジに向けて移動させるように構成されているから、磁気テープの搬送速度が減速された結果、ハブに巻き取るべき磁気テープとすでにハブに巻き取られた下側の磁気テープの表面との間に介在するエアの量が減少し、ハブに巻き取るべき磁気テープが、すでにハブに巻き取られた下側の磁気テープの表面に接触しやすくなっても、磁気テープを、所望のように、テープリールの一方のフランジに沿って、テープリールのハブに巻き取ることが可能になる。なお、磁気テープ位置規制部材を、テープリールの軸線方向に、それに沿って、テープリールの磁気テープを巻き取るべき一方のフランジに向けて移動した後は、磁気テープは、テープリールのその一方のフランジに向けて、供給されることになるが、この時点では、テープリールの回転速度は減速されているから、磁気テープの一方のエッジ部が、テープリールのそのフランジによって、損傷されることはない。
【００１１】
本発明の好ましい実施態様においては、所定時間ΔＴが、前記磁気テープが定常的に搬送されているときの搬送速度に応じて、設定されている。
【００１２】
本発明のさらに好ましい実施態様においては、前記テープリールの前記一方のフランジが、前記テープリールの軸線に垂直な平面に対して、外方に傾くように形成されている。
【００１３】
本発明の好ましい実施態様によれば、それに沿って、磁気テープを巻き取るべきテープリールの一方のフランジが、テープリールの軸線に垂直な平面に対して、外方に傾くように形成されているから、磁気テープを、確実に、そのフランジに沿って、テープリールのハブに巻き取ることが可能になる。
【００１４】
本発明のさらに好ましい実施態様においては、所定時間ΔＴの経過後に、磁気テープが、前記テープリールの一方のフランジの内壁面に向けて、供給されるように、前記磁気テープ位置規制部材が、前記テープリールの一方のフランジ側に移動される。
【発明の効果】
【００１５】
本発明によれば、磁気テープを、つねに、テープリールの一方のフランジに沿って、テープリールのハブに、所望のように、巻き取ることができる磁気テープカートリッジの製造方法を提供することが可能になる。
【発明を実施するための最良の形態】
【００１６】
以下、添付図面に基づいて、本発明の好ましい実施態様につき、詳細に説明を加える。
【００１７】
図１は、本発明の好ましい実施態様にかかる磁気テープの巻き取り装置のテープリール近傍の略縦断面図であり、磁気テープが略一定速度で、定常的に搬送されている状態を示している。
【００１８】
図１に示されるように、本実施態様にかかる磁気テープの巻き取り装置は、テープリール１のハブ２に、磁気テープ３を巻き取るように構成され、テープリール１は、テープリール１の軸線に垂直に形成された上フランジ４ａと、テープリール１の軸線に垂直な平面に対して、外方に傾くように形成された下フランジ４ｂを備えている。
【００１９】
図１に示されるように、磁気テープ３の搬送方向に対して、テープリール１の直上流側の磁気テープ３の搬送路には、テープリール１の軸線方向における磁気テープ３の走行位置を規制する磁気テープ位置規制部材５が配置されており、磁気テープ３が略一定速度で、定常的に高速搬送されている場合には、磁気テープ位置規制部材５は、その中央部が、テープリール１のハブ２の中央部に対向する位置に保持され、それによって、磁気テープ３は、テープリール１のハブ２の略中央部に向けて、供給される。
【００２０】
図１において、６は、磁気テープ位置規制部材５を移動させる磁気テープ位置規制部材駆動手段であり、ソレノイドなどによって構成されている。
【００２１】
また、図１には図示されていないが、テープリール１の下フランジ４ｂに近傍には、公知のように、テープリール１のハブ２の略中央部に向けて、供給された磁気テープ３が、テープリール１の下フランジ４ｂの内壁面に沿うように規制する磁石などによって構成された規制機構が設けられている。
【００２２】
磁気テープ３が略一定速度で、定常的に高速搬送されているときは、磁気テープ３の搬送にともなって、磁気テープ３にエアが同伴され、ハブ２に巻き取るべき磁気テープ３とすでにハブ２に巻き取られた下側の磁気テープ３の表面との間に、所定量のエアが介在している。
【００２３】
したがって、磁気テープ３がテープリール１の軸線方向に動きやすいため、テープリール１のハブ２に向けて供給された磁気テープ３は、磁石などによって構成された規制機構（図示せず）によってガイドされ、テープリール１の下フランジ４ｂの内壁面に沿って、テープリール１のハブ２に巻き取られる。
【００２４】
これに対して、磁気テープ３の巻き取り操作を終了させるにあたって、磁気テープ３の搬送速度を減速させると、磁気テープ３に同伴されるエアの量が減少し、ハブ２に巻き取るべき磁気テープ３とすでにハブ２に巻き取られた下側の磁気テープ３の表面との間に介在するエアの量も減少する。
【００２５】
その結果、ハブ２に巻き取るべき磁気テープ３が、すでにハブ２に巻き取られた下側の磁気テープ３の表面に接触しやすくなって、テープリール１の軸線方向における磁気テープ３の動きが規制されるようになるため、磁気テープ位置規制部材５が、その中央部が、テープリール１のハブ２の中央部に対向するように位置し、磁気テープ３が、テープリール１のハブ２の略中央部に向けて供給されるときは、磁石などによって構成された規制機構（図示せず）によって、磁気テープ３をガイドしても、便宜的に、図１に点線で示されるように、磁気テープ３は、下フランジ４ｂの内壁面に沿うことなく、テープリール１のハブ２の略中央部に巻き付けられ、磁気テープ３を、テープリール１のハブ２の表面の所望の位置に巻き付けることができなくなる。
【００２６】
そこで、本実施態様においては、磁気テープ３の巻き取り操作を終了させるにあたって、磁気テープ３の搬送速度が減速されたときは、磁気テープ３の搬送速度が減速されてから、所定時間ΔＴの経過後に、磁気テープ位置規制部材５が、磁気テープ３が、テープリール１の下フランジ４ｂの内壁面に向けて供給されるように、磁気テープ位置規制部材駆動手段６によって、テープリール１の軸線方向に沿って、テープリール１の下フランジ４ｂに向けて移動されるように構成されている。
【００２７】
図２は、本発明の好ましい実施態様にかかる磁気テープの巻き取り装置のテープリール近傍の略縦断面図であり、磁気テープ３の搬送速度が減速されてから、所定時間ΔＴを経過した後の状態を示している。
【００２８】
図２に示されるように、本実施態様においては、磁気テープ３の搬送速度が減速されてから、所定時間ΔＴの経過後に、磁気テープ位置規制部材５が、磁気テープ３が、テープリール１の下フランジ４ｂの内壁面に向けて供給されるように、磁気テープ位置規制部材駆動手段６によって、テープリール１の軸線方向に沿って、テープリール１の下フランジ４ｂに向けて移動されるから、磁気テープ３の搬送速度が減速された結果、ハブ２に巻き取るべき磁気テープ３とすでにハブ２に巻き取られた下側の磁気テープ３の表面との間に介在するエアの量が減少し、ハブ２に巻き取るべき磁気テープ３が、すでにハブ２に巻き取られた下側の磁気テープ３の表面に接触しやすくなっても、磁気テープ３を、所望のように、テープリール１の下フランジ４ｂの内壁面に沿って、テープリール１のハブ２に巻き取ることが可能になる。
【００２９】
ここに、所定時間ΔＴは、テープリール１が定常的に高速回転されているときの回転速度に応じて、設定される。
【００３０】
また、本実施態様においては、磁気テープ３の搬送速度が減速されてから、所定時間ΔＴの経過後に、磁気テープ位置規制部材５が、磁気テープ３が、テープリール１の下フランジ４ｂの内壁面に向けて供給されるように、磁気テープ位置規制部材駆動手段６によって、テープリール１の軸線方向に沿って、テープリール１の下フランジ４ｂに向けて移動されるから、磁気テープ３の搬送速度が減速されてから、所定時間ΔＴの経過後は、磁気テープ３の一方のエッジ部が、テープリール１の下フランジ４ｂに衝突するが、この時点では、すでに、磁気テープ３の搬送速度は減速されているから、磁気テープ３の一方のエッジ部が、テープリール１の下フランジ４ｂによって、損傷されるおそれはない。
【００３１】
本実施態様によれば、磁気テープ３が略一定速度で、定常的に高速搬送されている間は、磁気テープ位置規制部材５の位置が、その中央部が、テープリール１のハブ２の中央部に対向するように保持され、磁気テープ３が、テープリール１のハブ２の略中央部に向けて供給されるが、磁気テープ３が略一定速度で、定常的に高速搬送されているときは、テープリール１の回転にともなって、磁気テープ３にエアが同伴され、ハブ２に巻き取るべき磁気テープ３とすでにハブ２に巻き取られた下側の磁気テープ３の表面との間に、所定量のエアが介在しているため、磁気テープ３がテープリール１の軸線方向に動きやすく、したがって、テープリール１のハブ２に向けて供給された磁気テープ３を、磁石などによって構成された規制機構（図示せず）により、テープリール１の下フランジ４ｂの内壁面に沿わせ、所望のように、テープリール１のハブ２に巻き取ることができ、一方、磁気テープ３の巻き取り操作を終了させるにあたって、磁気テープ３の搬送速度を減速させたときは、磁気テープ３の搬送速度が減速されてから、所定時間ΔＴの経過後に、磁気テープ位置規制部材５が、磁気テープ３が、テープリール１の下フランジ４ｂの内壁面に向けて供給されるように、磁気テープ位置規制部材駆動手段６によって、テープリール１の軸線方向に沿って、テープリール１の下フランジ４ｂに向けて移動されるように構成されているから、磁気テープ３の搬送速度が減速した結果、磁気テープ３に同伴されるエアの量が減少し、ハブ２に巻き取るべき磁気テープ３とすでにハブ２に巻き取られた下側の磁気テープ３の表面との間に介在するエアの量も減少して、ハブ２に巻き取るべき磁気テープ３が、すでにハブ２に巻き取られた下側の磁気テープ３の表面に接触しやすくなり、テープリール１の軸線方向における磁気テープ３の動きが規制されるようになっても、磁気テープ３を、所望のように、テープリール１の下フランジ４ｂの内壁面に沿って、テープリール１のハブ２に巻き取ることが可能になる。
【００３２】
したがって、本実施態様によれば、磁気テープ３を、つねに、テープリール１の下フランジ４ｂの内壁面に沿って、テープリール１のハブ２に、所望のように、巻き取ることが可能になる。
【００３３】
本発明は、以上の実施態様に限定されることなく、特許請求の範囲に記載された発明の範囲内で種々の変更が可能であり、それらも本発明の範囲内に包含されるものであることはいうまでもない。
【００３４】
たとえば、前記実施態様においては、磁気テープ３が、テープリール１の下フランジ４ｂの内壁面に沿って、テープリール１のハブ２に巻き取られるように構成され、したがって、磁気テープ３の搬送速度が減速されてから、所定時間ΔＴの経過後に、磁気テープ位置規制部材５が、磁気テープ３が、テープリール１の下フランジ４ｂの内壁面に向けて供給されるように、テープリール１の軸線方向に沿って、テープリール１の下フランジ４ｂに向けて移動されるように構成されているが、磁気テープ３を、テープリール１の下フランジ４ｂの内壁面に沿って、テープリール１のハブ２に巻き取ることは必ずしも必要でなく、磁気テープ３を、テープリール１の上フランジ４ａの内壁面に沿って、テープリール１のハブ２に巻き取るように構成してもよく、その場合には、磁気テープ３の搬送速度が減速されてから、所定時間ΔＴの経過後に、磁気テープ位置規制部材５が、磁気テープ３が、テープリール１の上フランジ４ａの内壁面に向けて供給されるように、テープリール１の軸線方向に沿って、テープリール１の上フランジ４ａに向けて移動されるように構成される。
【００３５】
また、前記実施態様においては、テープリール１の下フランジ４ｂは、テープリール１の軸線に垂直な平面に対して、外方に傾くように形成されているが、テープリール１の下フランジ４ｂを、テープリール１の軸線に垂直な平面に対して、外方に傾くように形成することは必ずしも必要でない。
【図面の簡単な説明】
【００３６】
【図１】図１は、本発明の好ましい実施態様にかかる磁気テープの巻き取り装置のテープリール近傍の略縦断面図であり、磁気テープが略一定速度で、定常的に搬送されている状態を示している。
【図２】図２は、本発明の好ましい実施態様にかかる磁気テープの巻き取り装置のテープリール近傍の略縦断面図であり、磁気テープの搬送速度が減速されてから、所定時間ΔＴを経過した後の状態を示している。
【符号の説明】
【００３７】
１  テープリール
２  テープリールのハブ
３  磁気テープ
４ａ  テープリールの上フランジ
４ｂ  テープリールの下フランジ
５  磁気テープ位置規制部材
６  磁気テープ位置規制部材駆動手段
【図１】
2007122763.tif 000003
【図２】
2007122763.tif 000004